(57)【要約】      （修正有）【課題】折り返したワイヤ間にフィラメントを挟み込んだうえワイヤを捻じりフィラメントを植毛する歯間ブラシにおいて、円錐型や棒型のブラシでは清掃できないインプラントと歯周組織の間の「狭隙部位」においても良好な清掃性や深部到達性を有する歯間ブラシを提供する。【解決手段】ブラシ部先端と末端部分の「ブラシ部のフィラメント全長７」がブラシ部中心付近の「ブラシ部のフィラメント全長７」よりも短く、ワイヤ軸方向に２つ以上の凸型形状を有さない形状で、ブラシ中央付近のフィラメントの長さ７を適正範囲に調整することにより、良好な清掃性や深部到達性を達成する。【選択図】図３
2015217135.tif 000002
【特許請求の範囲】
【請求項１】
折り返したワイヤ間にフィラメントを挟み込んだうえこのワイヤを捻じることで該ワイヤにフィラメントを植毛してなるブラシ部を備えた歯間ブラシにおいて、  前記ブラシ部における、ブラシ部先端部から「最長のブラシ部のフィラメント全長（Ｂ）」を有する位置までの長さ（Ｄ）のブラシ部全長に対する比率が、ブラシ部全長を１とした場合、０．３０〜０．７０であり、  かつ、前記ブラシ部における「最長のブラシ部のフィラメント全長（Ｂ）」が４．０〜９．０ｍｍであり、  かつ、前記ブラシ部のワイヤ軸を含む同一の面に存在し、かつ同じ方向にフィラメント先端部を有する、隣接するフィラメントにおいて、最長のブラシ部のフィラメント全長（Ｂ）を有する位置からブラシ部先端部、若しくはブラシ部末端部のワイヤ軸方向において、「ブラシ部のフィラメント長７」は同等程度か短くなる変化を示し、ブラシ部先端部における「ブラシ部のフィラメント全長」（Ａ）およびブラシ部末端部における「ブラシ部のフィラメント全長」（Ｃ）がブラシ部における「最長のブラシ部のフィラメント全長（Ｂ）」よりも短い  ことを特徴とする歯間ブラシ。
【発明の詳細な説明】
【技術分野】
【０００１】
本発明は、ワイヤ間にフィラメントを挟み込み、捻じることでフィラメントをワイヤ周りに植毛したブラシ部を備える歯間ブラシに係り、特に、インプラント周囲粘膜炎のようなインプラント施術部位における歯周疾患を予防、改善するための歯間ブラシに関する。
【背景技術】
【０００２】
近年、咀嚼性や装着感に優れているインプラントを通常の義歯替わりに選択する人が増加しつつある。インプラントは、骨組織に直接フィクスチャーと呼ばれる人工支体物を埋入し、その上部にアバットメントや上部構造補綴物などを装着する技術である。インプラントを全歯部位で行うことは少なく、多くの場合は、天然歯とインプラントが口腔内で共存している状態にある。  
【０００３】
一方、インプラントの課題点としては、インプラント周囲炎が存在する。インプラントは、人工物が骨組織に直接埋入するだけでなく、その人工物が口腔内に露出している構造を有しており、加えて、天然歯の歯周周囲組織とは異なり、細菌の進入を防止するなどの口腔衛生保持の効果を有する歯根膜がインプラントと接する歯周組織には存在しないことから、歯周組織に発生した感染症が骨組織に急激な骨吸収などの重篤な影響を与えることから、インプラント周辺の歯周組織における歯周疾患の予防は非常に重要とされている。更に、インプラントは歯周組織に外科的施術を行い、大きな人工物を生体内に埋入することから、通常の外科手術と同様、外科措置した組織、すなわちインプラント周囲の歯周組織は損傷組織が治癒した再に現れる「瘢痕組織」のような構造を有している。この構造においては、免疫力が弱く、且つ繊維芽細胞量や血液供給量が通常の歯周組織より少ないことから、一度炎症を生じると症状を改善し、回復させることが困難とされている。  
【０００４】
従って、インプラント施術者においては、より厳密な口腔清掃が要求される。インプラント周囲の歯周組織における炎症は、インプラント周囲粘膜炎を前症とし、インプラント周囲炎に進行するといわれている。一般的に、インプラント周囲粘膜炎は症状改善が比較的容易であるが、インプラント周囲炎まで進行すると治癒しにくいとされている。このインプラント周囲粘膜炎は、フィクスチャーとアバットメントの接合部位周辺から生じることが多いとされ、その部位は天然歯の炎症発症部位より歯槽骨に近い深い位置に存在することが多い。この部位における炎症発生の主な原因の一つとして、インプラントと歯周組織の接触上部部分におけるデンタルプラークの存在が知られている。前述の通り、インプラント周囲には歯根膜が存在しないため、デンタルプラーク中の細菌の歯周組織深部への進入が容易であることから、通常より深部の前記部位におけるプラークの除去やプラークの生成防止は、インプラントにおける口腔衛生保持の観点から非常に重要な予防対策となる。しかし、通常の歯間ブラシでは、当該部位における清掃を行うことができず、フロスを用いた清掃もあるが、高齢者などには使用が難しく、フロス片がインプラントに引っかかり残存し障害を引き起こすリスクがあるなどの課題を有している。この課題を解決する手段の技術提案は歯ブラシで僅かになされているが（特許文献１、２）、何れも前記部位を清掃することができず、未だ解決されていない。  
【０００５】
【特許文献１】特開平５−１６８５２８号公報
【特許文献２】特開平８−２６６３３８号公報
【発明の開示】
【発明が解決しようとする課題】
【０００６】
本発明が前述の状況に鑑み、解決しようとするところは、清掃効果及び深部到達性を向上させた簡便に使用できる歯間ブラシ、特に、インプラントを埋設している部分におけるインプラント間、もしくはインプラントと天然歯の間の歯間部（以下「インプラント部位の歯間部」ともいう。）の清掃に最適で、通常の歯間清掃では十分な清掃効果が得られない、インプラントと歯周組織の間の「狭隙部位」（以下、単に「狭隙部位」ということがある。）においても十分な清掃性を得ることができる歯間清掃具を提供する点にある。
【課題を解決するための手段】
【０００７】
本発明者は、上述の課題を解決するべく鋭意検討した結果、歯間ブラシ部中央付近に一定以上のフィラメント長７（ワイヤ端からフィラメント先端部までの長さ。）を有し、かつ凹部を有さないブラシ形状の歯間ブラシが、多くの歯間ブラシに採用されている円錐型や棒型のブラシでは清掃できない「狭隙部位」においても良好な清掃性や深部到達性を有する点を見出し、本発明を完成するに至った。  
【０００８】
本願発明の歯間ブラシは、ワイヤからなる芯材にフィラメントを植設してなる歯間清掃用のブラシ部と、ブラシ部を支持する持ち手としてのハンドル部とを備えている。  
【０００９】
ブラシ部は、ワイヤを二つ折りにしてその間に複数本のフィラメントを配置させた状態で、該ワイヤを捩じって、ワイヤからなる芯材に複数のフィラメントを放射状に挟持し、その後フィラメントを所望の長さにカットして植毛部を形成してなる周知の構成のものである。芯材の基端部には屈曲させてなるアンカー部が設けられ、このアンカー部をハンドル本体基材に埋設することで、例えば歯間にブラシ部を挿入した状態で、ブラシ部を回転させても、ブラシ部がハンドル部から脱落しないように構成されている。なお、ブラシ部の全長（フィラメントを植設しているブラシ部軸方向の長さ）は、大臼歯の歯間部への挿入性および本願効果との関係を考慮すると９〜１４ｍｍが好ましく、９〜１３ｍｍがより好ましく、１０〜１２ｍｍが最も好ましい。  
【００１０】
本発明におけるブラシ部形状は下記の３点の特徴を全て満足する。すなわち、本願発明のブラシ部は、１.ブラシ部全長（「ブラシ部先端部からブラシ部末端部までの長さ」を意味する。）を１とした時の先端部から０．３０〜０．７０（好ましくは０．３５〜０．５０）の位置に相当するブラシ部部分（以下、「中央ブラシ部領域」とも言う。）を「Ｘ」とした場合、「Ｘ］における最長の「ブラシ部のフィラメント全長（ブラシ部ワイヤ軸の垂直面におけるブラシ部のフィラメント先端部が形成するブラシ部横断面の直径。ブラシ部横断面が円形でない場合は、前記フィラメント先端部が形成するブラシ部横断面の外接円の直径を意味する。）」が４．０〜９．０ｍｍ（好ましくは４．５〜９．０ｍｍ、より好ましくは５．５〜９．０ｍｍ、更に好ましくは５．８〜８．５ｍｍ、最も好ましくは５．８〜８．０ｍｍ）の範囲にある。２. 「Ｘ］からブラシ部先端部若しくはブラシ部末端部方向において、「ブラシ部のフィラメント長７」は同等か短くなるかの何れかである。という２つの特徴を満足する。ここでいう、「２. Ｘからブラシ部先端部若しくはブラシ部末端部方向において、ブラシ部のフィラメント長７は同等か短くなるかの何れか」の意味を説明すると、まず、全長を比較するフィラメントは、ブラシ部のワイヤ軸を含む同一の面に存在し、かつ同じ方向にフィラメント先端部を有する、隣接するフィラメントである。  
【００１１】
より詳しくは、本願効果は、歯間ブラシを通過させる「インプラント部位の歯間部」の穴の大きさによって最適な最長の「ブラシ部のフィラメント全長」が多少相違する。ＩＳＯ１６４０９の表１に記載のブラシサイズにおいて、「ブラシサイズ２（通過孔径：０．９ｍｍ以上１．０ｍｍ以下）」は５．０ｍｍ〜６．０ｍｍ、（好ましくは、５．３ｍｍ〜５．７ｍｍ）、「ブラシサイズ３（通過孔径：１．１以上１．２ｍｍ以下）」は５．３ｍｍ〜６．３ｍｍ（好ましくは５．５ｍｍ〜５．９ｍｍ）、「ブラシサイズ４（通過孔径：１．３以上１．５ｍｍ以下）」は５．５ｍｍ〜６．５ｍｍ（好ましくは５．８ｍｍ〜６．２ｍｍ）、および「ブラシサイズ５（通過孔径：１．６ｍｍ以上１．８ｍｍ以下）」の場合の最適な最長の「ブラシ部のフィラメント全長」は６．０〜８．０ｍｍである。「ブラシサイズ０（通過径：０．６ｍｍ以下）」および「ブラシサイズ１（通過径：０．７ｍｍ以上０．８ｍｍ以下）」については、本願発明の効果を十分に得られるだけの「ブラシ部のフィラメント全長」を確保しようとすると、より径の小さいフィラメントを使用する必要があり、十分な所期効果を得ることができない可能性があるため好ましくない。また、「ブラシサイズ６（通過径：１．９ｍｍ以上２．３ｍｍ以上）」および「ブラシサイズ７（通過径：２．４ｍｍ以上）」については、「ブラシ部のフィラメント全長」が長くなりすぎて本願発明の効果を十分に得られない可能性があるため好ましくない。  
【００１２】
前記の歯間ブラシのブラシ部大きさの各グレードにおける「ブラシ部のフィラメント全長」の範囲より短い場合は、フィラメント先端が深い「狭隙部位」まで到達できない可能性があるため、十分な清掃効果が期待できない。また長すぎる場合においても、「狭隙部位」内でのフィラメントの動きが悪くなり、フィラメント先端が深い「狭隙部位」まで到達できない可能性があるため、十分な清掃効果が期待できない。  
【００１３】
ブラシ末端部とブラシ先端部における「ブラシ部のフィラメント全長」は、最長の「ブラシ部のフィラメント全長」より短ければよいが、好ましくは８５％以下の長さであり、更に好ましくは３０％以上８５％以下、最も好ましくは、４５％以上８５％以下である。ブラシ部先端部、若しくは末端部の「ブラシ部のフィラメント全長」が最長の「ブラシ部のフィラメント全長」と同等若しくはそれ以上である場合、本願発明の所期の清掃性効果が得られないため好ましくない。その理由として、ブラシ先端部付近の「ブラシ部のフィラメント全長」が長い場合は、歯間ブラシを「インプラント部位の歯間部」に挿入したときにブラシ先端部付近のフィラメントがインプラントと歯周組織の間の「狭隙部位」に入り込みにくくなり、先端部以降の部分のフィラメントの「狭隙部位」に入り込みに対して阻害要因にもなりうるため、「狭隙部位」へのフィラメント進入が十分でなく所期の効果が得られなかったり、歯間部の鼓形空隙に挿入した際に空隙部におけるフィラメント密度が高くなりすぎるため、ブラシ部を十分な長さまで「インプラント部位の歯間部」へ挿入できないため所期の効果が得られなかったりすることが挙げられる。  
【００１４】
また、ブラシ末端部付近またはブラシ先端部付近の「ブラシ部のフィラメント全長」が長い場合、歯間清掃時に行うブラシ部を「インプラント部位の歯間部」へ挿入したのちに引抜くという反転動作の際、「インプラント部位の歯間部」に挿入されているフィラメントのブラシ部軸（ワイヤ軸方向）に対する傾倒が、ブラシ部の動きに併せた反転が起こりにくくなり、「狭隙部位」だけでなく「インプラント部位の歯間部」においても十分な清掃性が得られないほか、歯間部の鼓形空隙に挿入した際に空隙部におけるフィラメント密度が高くなりすぎるため、ブラシ部を十分な長さまで「インプラント部位の歯間部」へ挿入できないために清掃性が不十分になることなどが挙げられる。  
【００１５】
すなわち、本発明の歯間ブラシは、被清掃部位において挿入してから引き抜くという反転動作を繰り返すことから、「Ｘ」の両端であるブラシ部先端部分及びブラシ部末端部分の「ブラシ部のフィラメント全長」は前記「Ｘ］における最長の「ブラシ部のフィラメント全長」より短い特徴が必要であり、ブラシ部の形状は、ブラシ部軸方向（ワイヤ軸方向）に垂直な面において、左右対称形であっても左右非対称形であっても良い。また、連玉形のような大きな２つ以上の凸部形状を有するブラシ形状の場合、「インプラント部位の歯間部」に挿入したときの先端部以降の部分のフィラメントの「狭隙部位」に入り込みを助勢する作用がフィラメント密度の減少に伴って失われる恐れがあるため、本願効果を得られないため好ましくない。  
【００１６】
本願効果をより向上させるための最適なフィラメントを固定するブラシ部軸径としては、０．３５〜０．７０ｍｍ、より好ましくは０．４０〜０．５５ｍｍである。ブラシ部軸を構成するワイヤとしては、例えばステンレスやＣｏ合金などの金属製ワイヤを採用できる。ワイヤの直径
は、０．２０〜０．４５ｍｍ程度に設定できる。また、天然歯における鼓形空隙に比べ、インプラントにおける鼓形空隙は空隙形状が異なったり、歯間部空隙が狭いことが多いため、清掃性を確保するために適正な大きさのブラシ部を挿入すると、通常の歯周組織より損傷を受け易いインプラント周辺部の歯周組織を損傷したり、インプラントの素材によっては、清掃行為によるインプラントの摩擦損傷を生じる可能性があることから、ナイロンのような熱可塑性樹脂や熱硬化性樹脂、エストラマー、ゴム、シリコンなどで被覆処理したワイヤでブラシ部軸を形成することが好ましい。  
【００１７】
本願効果をより向上させるための最適なフィラメントの太さは形状により規定される。フィラメント横断面が円形若しくは略円形形状の場合は直径が０．０２５〜１．１０ｍｍであり、より好ましくは０．０５〜０．０７６ｍｍである。フィラメント横断面が楕円形の場合、長径直径が０．０２５〜１．１０ｍｍ（より好ましくは０．０５〜０．０７６ｍｍ）であり、フィラメント横断面が、三角形若しくは略正三角形の場合は、頂点より向かい合う辺へ下ろした垂線の長さが０．０２５〜１．１０ｍｍ（より好ましくは０．０５〜０．０７６ｍｍ）である。一方、フィラメントの横断面が正方形（略正方形を含む）、二等辺三角形（略二等辺三角形を含む）、菱形（略菱形を含む）、平行四辺形（略平行四辺形を含む）については、同等の横断面積を有する円形を作成し、その直径が０．０２５〜１．１０ｍｍであり、より好ましくは０．０５〜０．０７６ｍｍである。  
【００１８】
通常より深部の狭隙部位における清掃効果をより高めるためには、植毛されるフィラメントの断面積を小さくし、かつ、必要最小限のフィラメント剛性を維持できる形状である必要があり、具体的には、三角形状の断面積や三角形状の辺部がフィラメント軸に向かって湾曲している形状が最も好ましい。その他の多角形状においても、従来の円形断面のフィラメントに比べて、ブラシ部における高いフィラメント充填密度を得ることができ、間隙部に挿入した際のフィラメントの傾倒を抑制する作用や清掃作用を有するフィラメント総数の増加などによる深部における清掃性向上をさせることが可能となる。  
【００１９】
フィラメントの素材としては、例えばナイロン（ポリアミド）、ポリブチレンテレフタレート（ＰＢＴ）、ポリトリメチレンテレフタレート（ＰＴＴ）及びこれらの複合糸などを好適に採用できるが、獣毛などの天然毛を用いることもできる。また、インプラント周辺部の歯周組織は、通常の歯周組織より損傷を受け易いため、特に「狭隙部位」における損傷のリスクを低下させるため、フィラメントについてもエラストマーやゴム、シリコンで被覆した、いわゆる「芯鞘構造」を有するフィラメントを使用することも好適な態様の一つである。また、歯間ブラシ用のフィラメント径は小さいため芯鞘構造にし難い場合は、ブラシ部を形成した後にフィラメント先端付近のみを被覆処理することも好適な態様として挙げられる。さらに、フィラメントの先端部が半球状になるように先丸加工を施したり、フィラメントの先端部に球状部を形成したりすることも好ましい実施の形態である。
【発明の効果】
【００２０】
以上にしてなる本願発明に係る歯間ブラシによれば、１.ブラシ部全長（「ブラシ部先端部からブラシ部末端部までの長さ」を意味する。）を１とした時の先端部から０．３０〜０．７０（好ましくは０．３５〜０．５０）の位置に相当するブラシ部部分（以下、「中央ブラシ部領域」とも言う。）を「Ｘ」とした場合、「Ｘ］における最長の「ブラシ部のフィラメント全長（ブラシ部ワイヤ軸の垂直面におけるブラシ部のフィラメント先端部が形成するブラシ部横断面の直径。ブラシ部横断面が円形でない場合は、前記フィラメント先端部が形成するブラシ部横断面の外接円の直径を意味する。）」が４．０〜９．０ｍｍ（好ましくは４．５〜９．０ｍｍ、より好ましくは５．５〜９．０ｍｍ、更に好ましくは５．８〜８．５ｍｍ、最も好ましくは５．８〜８．０ｍｍ）の範囲にある。２. 「Ｘ］からブラシ部先端部若しくはブラシ部末端部方向において、「ブラシ部のフィラメント長７」は同等か短くなるかの何れかである。の２つの条件を満足させることにより、歯間ブラシのフィラメントを効果的にインプラントと歯周組織の間の「狭隙部位」へ進入させ、且つその深部にまで到達させることができることを見出した。このことにより、インプラント周囲粘膜炎の主原因の一つであるデンタルプラークやその生成原因となる物質や細菌の除去を、特にフィクスチャーとアバットメントの接合部の深部近くまで効果的に除去することが可能となり、インプラント周囲粘膜炎の発症防止または症状改善を実現でき、結果的に、インプラント欠損等の重大なリスクを有するインプラント周囲炎の発症を防止することができる。
【発明を実施するための最良の形態】
【００２１】
次に、本発明の実施形態を添付図面に基づき詳細に説明する。  
【００２２】
図１は、本発明に係る歯間ブラシの構成を示す説明図であり、図中符号１は歯間ブラシ（全体）、２はブラシ部、３はフィラメント、４はワイヤ、５はハンドル部をそれぞれ示している。  
【００２３】
歯間ブラシ１は、図１および図２に示すように、折り返したワイヤ４の間に複数（多数）のフィラメント３，…を挟み込んだうえ、このワイヤ４を捻じることで該ワイヤ４の外周面上に複数のフィラメント３，…を放射状に植毛し、毛切りによる整形を施してなるブラシ部２を備えたものであり、本発明では、少なくともブラシ部中央付近の「ブラシ部のフィラメン全長」が５．０〜８．５ｍｍ、好ましくは５．５〜８．０ｍｍ、より好ましくは５．５〜７．５ｍｍであり、加えて、ブラシ先端部及びブラシ末端部の「ブラシ部のフィラメント長７」がブラシのワイヤ軸方向の周辺部位における「ブラシ部のフィラメント長７」よりも短い形状に毛切り整形したブラシ部２を有する歯間ブラシ１である。これにより、インプラントと歯周組織の間の「狭隙部位」における良好な清掃性や深部到達性を有することを特徴としている。このインプラントと歯周組織の間の「狭隙部位」における良好な清掃性や深部到達性は、ブラシ部中央付近の「ブラシ部のフィラメント長７」が同等の長さであっても、図１に示す方向から見たブラシ部の外観形状が、円錐型、円柱錘形、円筒型の場合や、連玉型のように２つ以上の凸部を有する形状の場合には本願効果が得られず、また、バレル型形状であっても、ブラシ部中央付近の「ブラシ部のフィラメント全長」が本願発明で規定するよりも短い長さの場合には本願効果は得られない。  
【００２４】
図１に示す本例では、合成樹脂製の棒状ハンドル部５の先端部にブラシ部２のワイヤ基部を埋設して保持させたものであり、ブラシ部２とハンドル部５の保持方法については、作製したブラシ部２をハンドル部５の成形時にインサートして保持させたり、ハンドル部５に取付孔を形成し、高周波加熱や超音波融着などによりワイヤ基部を加熱した状態で取付孔に挿入して保持させる方法などが採用できる。また、固定するのではなくハンドル部５の取付孔にブラシ部２を着脱自在に装着するものでもよい。また、ハンドル部５の先端部がＬ字状に屈曲してそこからブラシ部２が突出するように設けてもよい。その他の例としては、ブラシ部２のブラシ基部を短軸状のハンドルに埋設固定した使い捨てタイプのものや、ブラシ部２のブラシ基部を短軸基台に埋設固定したものを長軸ホルダーに脱着自在に装着するもの、長軸ホルダーの先端部を屈曲させたもの、長軸ホルダーが電動歯間ブラシであるものなど、種々の形態とすることが可能である。  
【００２５】
ブラシ部２を構成しているフィラメント３及びワイヤ４の素材は、いずれも従来から公知のものを広く採用できる。フィラメント３は、合成樹脂製モノフィラメントのほか芯鞘構造の複合構造のフィラメントも使用出来る。  フィラメントの素材としては、例えばナイロン、ポリブチレンテレフタレート（ＰＢＴ）、ポリトリメチレンテレフタレート（ＰＴＴ）及びこれらの樹脂の混合物などを好適に採用できるが、獣毛などの天然毛を用いることもできる。フィラメント内部に微粒子や化学物質などを添加してもよい。また、インプラント周辺部の歯周組織は、通常の歯周組織より損傷を受け易いため、特に「狭隙部位」における損傷のリスクを低下させるため、フィラメントについてもエラストマーやゴム、シリコンで被覆した、いわゆる「芯鞘構造」を有するフィラメントを使用することも好適な態様の一つである。また、歯間ブラシ用のフィラメント径は小さいため芯鞘構造にし難い場合は、ブラシ部を形成した後にフィラメント先端付近のみを被覆処理することも好適な態様として挙げられる。さらに、フィラメントの先端部が半球状になるように先丸加工を施したり、フィラメントの先端部に球状部を形成したりすることも好ましい実施の形態である。フィラメントの太さとしては、フィラメントの直径が１〜４ｍｉｌ（１ｍｉｌ＝０．０２５４ｍｍ）であることが好ましく、２〜３ｍｉｌが最も好ましい。この場合において、フィラメントの横断面形状が円形でない場合の最適な太さは、前記の通りフィラメントの横断面の形状により決定することが好ましい。フィラメントの横断面の形状は円形だけでなく三角形や四角形などの多角形も使用でき、多角形形状のフィラメントをフィラメント円周方向に捻り、多角形の頂点に相当する部分がフィラメントの軸方向にフィラメントの外接円の円周付近に螺旋状を形成するフィラメントも使用することができる。ワイヤ４は、ＳＵＳ３０４、ＳＵＳ３１６等のステンレス鋼線等が好適に採用でき、例えばマンガンを多く含むステンレス鋼線が好ましく、その他、コバルト合金等を用いることも好ましい。  
【００２６】
フィラメント３をワイヤ４に植毛する方法についても、従来から公知の方法を広く適用することができる。例えば、所定長さのフィラメントを数十万本束ねた原束に、所定間隔で溝を形成したピッカーを押し当て、溝にフィラメントを一定本数ずつ引っ掛けることにより取り出し、ワイヤ間に挟み込んで捻じるピック式や、複数本のフィラメントを一束に束ねた連続する毛束をリールに巻いた巻装体を複数並設し、これら複数の巻装体から同時に繰り出した毛束群をワイヤ間に供給したうえ毛束をワイヤ間に均等に分散させ、その後、ワイヤを捻じるリール式などを採用できる。  
【００２７】
ワイヤ４の間に植毛されるフィラメント３，…は、図２の（ａ）から（ｃ）に示すように、ワイヤ４の捻じり方向に沿って螺旋状に植毛され、挟み込むフィラメントの本数やワイヤの捻じり条件によってフィラメント３の配列が１列または２列以上に制御される。例えば、ブラシを構成する平均的なフィラメントの本数としては２００〜７００本（好ましくは２５０〜６００本）であり、これらのフィラメントをワイヤに挟み込んで、フィラメント挟持部分のワイヤの捻じり数（巻き数）を１０〜２０回とすることにより、ワイヤの捻じり数の単位あたり（１回あたり）の植毛本数を１０〜５５本、好ましくは１５〜４０本、より好ましくは２０〜３５本として、フィラメントの配列を制御することができる。  
【００２８】
本願発明で使用出来るブラシ部は、前述の通り、１.ブラシ部全長（「ブラシ部先端部からブラシ部末端部までの長さ」を意味する。）を１とした時の先端部から０．３０〜０．７０（好ましくは０．３５〜０．５０）の位置に相当するブラシ部部分（以下、「中央ブラシ部領域」とも言う。）を「Ｘ」とした場合、「Ｘ］における最長の「ブラシ部のフィラメント全長（ブラシ部ワイヤ軸の垂直面におけるブラシ部のフィラメント先端部が形成するブラシ部横断面の直径。ブラシ部横断面が円形でない場合は、前記フィラメント先端部が形成するブラシ部横断面の外接円の直径を意味する。）」が４．０〜９．０ｍｍ（好ましくは４．５〜９．０ｍｍ、より好ましくは５．５〜９．０ｍｍ、更に好ましくは５．８〜８．５ｍｍ、最も好ましくは５．８〜８．０ｍｍ）の範囲にある。２. 「Ｘ］からブラシ部先端部若しくはブラシ部末端部方向において、「ブラシ部のフィラ
メント長７」は同等か短くなるかの何れかである。の２つの条件を満足した形状を有する。より詳細には、歯間ブラシのフィラメントをインプラントと歯周組織の間の「狭隙部位」に効果的に進入させ、その深部にまで到達させるためには、適正な「ブラシ部のフィラメント長」、歯間部清掃行為において「インプラント部位の歯間部」に適正なフィラメント充填状態の実現（歯間ブラシの挿入時に適正な圧力をフィラメントに与えることで、フィラメントの「狭隙部位」への進入を助勢する）及び歯間ブラシを反復運動させる清掃行為中におけるフィラメント傾倒のスムーズな反転などを考慮する必要がある。従って、歯間ブラシを通過させる「インプラント部位の歯間部」の穴の大きさによって最適な条件が多少相違する。具体的には、ＩＳＯ１６４０９の表１に記載のブラシサイズにおいて、「ブラシサイズ２（通過孔径：０．９ｍｍ以上１．０ｍｍ以下）」における最適な最長の「ブラシ部のフィラメント長」は、５．０ｍｍ〜６．０ｍｍ、（好ましくは、５．３ｍｍ〜５．７ｍｍ）、「ブラシサイズ３（通過孔径：１．１以上１．２ｍｍ以下）」における最適な最長の「ブラシ部のフィラメント長」は、５．３ｍｍ〜６．３ｍｍ（好ましくは５．５ｍｍ〜５．９ｍｍ）、「ブラシサイズ４（通過孔径：１．３以上１．５ｍｍ以下）」における最適な最長の「ブラシ部のフィラメント長」は、５．５ｍｍ〜６．５ｍｍ（好ましくは５．８ｍｍ〜６．２ｍｍ）、および「ブラシサイズ５（通過孔径：１．６ｍｍ以上１．８ｍｍ以下）」における最適な最長の「ブラシ部のフィラメント全長」は６．０〜８．０ｍｍである。「ブラシサイズ０（通過径：０．６ｍｍ以下）」および「ブラシサイズ１（通過径：０．７ｍｍ以上０．８ｍｍ以下）」については、本願発明の効果を十分に得られるだけの「ブラシ部のフィラメント全長」を確保しようとすると、より径の小さいフィラメントを使用する必要があり、十分な所期効果を得ることができない可能性があるため好ましくない。また、「ブラシサイズ６（通過径：１．９ｍｍ以上２．３ｍｍ以上）」および「ブラシサイズ７（通過径：２．４ｍｍ以上）」については、「ブラシ部のフィラメント全長」が長くなりすぎて本願発明の効果を十分に得られない可能性があるため好ましくない。また、図１に示す方向から見たブラシ部の外観形状に２つ以上の凸部形状がある場合、「インプラント部位の歯間部」に挿入したときの先端部以降の部分のフィラメントの「狭隙部位」に入り込みを助勢する作用がフィラメント密度の減少に伴って失われる恐れがあるため、本願効果を得られないため好ましくない。  
【００２９】
本願発明の代表的なブラシ部形状を図で以って示す。  図１においては、ブラシ部２の全長は約１２ｍｍであり、ブラシ部中央付近６の４ｍｍ前後がフラットであり、ブラシ部中央付近６からブラシ部先端側及びブラシ部末端側においては、直線的にフィラメントを切除し、バレル形状としている。ブラシ部中央付近６における「ブラシ部のフィラメント全長」は６ｍｍであり、同部位のフィラメント長７は、２．７〜２．８ｍｍの範囲である。図１におけるブラシ部中央付近６のフラット部分が短く、その前後を湾曲的にフィラメントを切除した図３に示した形状も好適な例である。本願発明のブラシ部２の形状は、図４に示すようにブラシ部２の中央付近からワイヤ軸の軸に垂直な面において、左右が対称となる形状が最も好ましいが、図５や図６に示すように、ブラシ部２の中央付近からワイヤ軸の軸方向において左右が対称でない形状も使用出来る。  
【００３０】
以上本発明の実施形態について説明したが、本発明はこうした実施形態に何ら限定されるものではなく、本発明の要旨を逸脱しない範囲において種々なる形態で実施し得ることは勿論である。
【実施例】
【００３１】
次に、ブラシ部のサンプルを用いた清掃効果の試験結果について説明する。  
【００３２】
（刷掃性試験）  下顎第一大臼歯をインプラントとした顎モデルを用い、以下の手順に従い、清掃性および歯肉縁下へのブラシの到達性を評価した。  インプラント模型歯を取り外し、縁下部分含めて擬似歯間モデルの歯間面を形成することとなる側のインプラント部位に擬似プラーク（商品名「オクルード」、Ｐａｓｃａｌ  Ｃｏｍｐａｎｙ  Ｉｎｃ．）を塗布し、再び前記の顎モデルに装着して形成した擬似歯間部を、下記実施例１〜４、比較例１〜３のブラシサンプルにおける試験に供した。試験は、評価するブラシを顎モデルが固定された摺動ブラシ試験機に装着し、ブラシ部全長に相当する長さをストローク長として、評価ブラシを歯間部へ頬側から舌側に向けて挿入および引き抜きを１回ずつ行い、擬似プラークの刷掃を行った。評価は図１０に示すとおりインプラント模型歯４６の近心および遠心の擬似歯間部（図で黒丸で示す所）で行った。なお、４５および４７の歯は通常模型歯を使用した。図１１に試験後のインプラント模型歯画像を示す。濃厚色部分が擬似プラーク付着部である。刷掃処理後、インプラント模型歯を顎モデルから取り外し、近心および遠心の歯間面側を写真撮影した後に、画像解析処理を行い、擬似プラークの除去率を算出した。  さらに、インプラント歯の歯肉縁下に該当する部分について、図１２のように歯根部側の画像（以下、「歯根部画像」ともいう。）の画像を切り出し画像解析処理を行い、擬似プラークの除去率を算出した。また清掃効果が確認された最深部位（以下、「ブラシ到達最深部位」ともいう。）までの距離（以下、「ブラシ到達距離」ともいう。）を測定した。
加えて、上記で解析した歯根部画像を、インプラント歯の臼部及び歯根部の正中線で更に２分割して得られた画像（以下、頬側に相当する画像を「頬側歯根部画像」と、舌側に相当する画像図１３を「舌側歯根部画像」ともいう。）についても、それぞれの擬似プラーク除去率を画像解析により算出した。
【００３３】
（ブラシサンプル）  ブラシ部の外観形状は、図７に示すバレル型、図８に示すテーパー型、図９に示すストレート型の三種類を用いた。ブラシ部先端における外径Ａについては、バレル型では３〜５ｍｍ（「ブラシ部のフィラメント長」は約１．５〜２．５ｍｍ）、テーパー型では３ｍｍ（「ブラシ部のフィラメント長」は約１．５ｍｍ）、ストレート型では４ｍｍ（「ブラシ部のフィラメント長」は約２ｍｍ）に設定した。ブラシ部末端における外径Ｃについては、バレル型では３〜５ｍｍ（「ブラシ部のフィラメント長」は約１．５〜２．５ｍｍ）、テーパー型では５〜６ｍｍ（「ブラシ部のフィラメント長」は約２．５〜３ｍｍ）、ストレート型では４ｍｍ（「ブラシ部のフィラメント長」は約２ｍｍ）に設定した。さらに、ブラシ部のワイヤ方向の中央部分における外径Ｂについては、バレル型では４〜８ｍｍ（「ブラシ部のフィラメント長」は約２〜４ｍｍ）、テーパー型では３ｍｍ（「ブラシ部のフィラメント長」は約１．５ｍｍ）、ストレート型では４ｍｍ（「ブラシ部のフィラメント長」は約２ｍｍ）に設定した。なお、ブラシ部の先端から末端までの長さ（ブラシ部の全長）は全て１２ｍｍとした。また、いずれのサンプルもフィラメント径が３ミルのナイロン素材のフィラメントを用いた。これらを表１に示す。  
【００３４】
【表１】
2015217135.tif 000003
【００３５】
（試験結果）  表１に示したとおり、本願発明の実施例１〜６は優れたインプラント歯の歯肉縁下に該当する部分において優れた擬似プラークの除去率（表１における「縁下除去率」）をしました。一方、比較例１〜６においては、従来の歯間ブラシが対象とする清掃部位である歯間部の擬似プラークの除去率（表１における「歯間部除去率」）が本願実施例と同等のものがあるにも拘わらず、「縁下除去率」は低かった。  本願発明の目的は、前述したとおり、「狭隙部位」における清掃効果の向上だけでなく、「狭隙部位」におけるブラシ部フィラメントの深部到達性も向上させることで、インプラント周囲粘膜炎の主原因の一つであるデンタルプラークやその生成原因となる物質や細菌の除去を、特にフィクスチャーとアバットメントの接合部の深部近くまで効果的に除去する歯間清掃具を提供することにある。従って、表１における「縁下除去率」が良いだけでなく、「縁下到達距離」も長いほうが好ましい。表１の結果より「中央ブラシ部領域」における最長の「ブラシ部のフィラメント全長」が８ｍｍに近いほど「縁下到達距離」も長くなることがわかった。加えて、ブラシ部先端部から「中央ブラシ部領域Ｘ」における最長の「ブラシ部のフィラメント全長」（図７，８および９におけるＢ）が存在する位置までのワイヤ軸方向の長さをＤ（図７、８および９におけるＤ）としたときの、ブラシ部全長に対するＤの比率（表１における「先端部からのＤ位置」）は、インプラント歯の歯肉縁下部のプラーク除去性、特に、「舌側歯根部画像」に示す部位におけるプラーク除去性に影響を与えることが判った。すなわち、ブラシ部全長に対するＤの比率は、「中央ブラシ部領域Ｘ」における最長の「ブラシ部のフィラメント全長」（図７、８および９におけるＢ）が４．８〜７．９のとき、３２〜６５のときに、インプラント歯の歯肉縁下部のプラーク除去性、特に「舌側歯根部画像」に示す部位におけるプラーク除去性を、従来の歯間ブラシと比較し向上させることができることがわかった。
【図面の簡単な説明】
【００３６】
【図１】本発明の代表的実施形態に係る歯間ブラシの全体構成を示す説明図。
【図２】ブラシ部の製造手順を示す説明図。
【図３】バレル形状の別態様を示す説明図。
【図４】左右対称の形状例を示す説明図。
【図５】左右非対称の形状例を示す説明図。
【図６】左右非対称の形状例を示す説明図。
【図７】評価に用いた歯間ブラシのブラシ部形状（バレル型）を示す説明図。
【図８】評価に用いた歯間ブラシのブラシ部形状（テーパー型）を示す説明図。
【図９】評価に用いた歯間ブラシのブラシ部形状（ストレート型）を示す説明図。
【図１０】評価に用いた顎モデルの評価擬似歯間部位を示す説明図。
【図１１】評価結果の写真画像を画像解析した例を示す説明図。
【図１２】「歯根部画像」の切り出し例を示す説明図。
【図１３】「舌側歯根部画像」の切り出し例を示す説明図。
【符号の説明】
【００３７】
１  歯間ブラシ  ２  ブラシ部  ３  フィラメント  ４  ワイヤ  ５  ハンドル部  ６  ブラシ部中央付近  ７  ブラシ部のフィラメント長
【図１】
2015217135.tif 000004
【図２】
2015217135.tif 000005
【図３】
2015217135.tif 000006
【図４】
2015217135.tif 000007
【図５】
2015217135.tif 000008
【図６】
2015217135.tif 000009
【図７】
2015217135.tif 000010
【図８】
2015217135.tif 000011
【図９】
2015217135.tif 000012
【図１０】
2015217135.tif 000013
【図１１】
2015217135.tif 000014
【図１２】
2015217135.tif 000015
【図１３】
2015217135.tif 000016